(57)【要約】      （修正有）【課題】ＯＮ／ＯＦＦ状態を認識することができる回転式プッシュスイッチを提供する。【解決手段】回転式プッシュスイッチは、底部筐体１０と、上部筐体２０と、スイッチアセンブリ３０と、導電性弾性片４０と、キャップ５０とを含む。底部筐体１０は、電源に接続された第１および第２の導電性端子１１、１２と、導電性弾性片に接続された第３の導電性端子１３とを有する。導電性弾性片４０は、底部筐体１０内に取り付けられる。スイッチアセンブリ３０は、底部筐体１０に取り付けられた上部筐体２０に取り付けられており、導電性弾性片４０と第２の導電性端子１２とを接続または取り外すように切り換えられる。スイッチアセンブリ３０にはキャップ５０が取り付けられている。導電性弾性片４０が第２の導電性端子１２に接続されるか、または離脱すると、それに対応して、キャップ５０の表示窓５２にＯＮ／ＯＦＦシンボルを見ることができ、ＯＮ／ＯＦＦ状態を認識することができる。【選択図】図２
0003229020.tif 000002
【実用新案登録請求の範囲】
【請求項１】
第１の導電性端子、第２の導電性端子、及び第３の導電性端子が内側に取り付けられた底部筐体であって、前記第１の導電性端子の一端及び前記第２の導電性端子の一端が、それぞれ、前記底部筐体の前側から外側に延び、前記第３の導電性端子の一端が、前記底部筐体の背面から外側に延びている底部筐体と、
一端が前記底部筐体の内側に取り付けられ、前記第３の導電性端子に電気的に接続され、他端が前記第２の導電性端子に弾性的に接触する導電性弾性片と、
前記底部筐体と係合する上部筐体であって、その上部に環状座部を備えた上部筐体と、
前記上部筐体の環状座部に取り付けられ、前記導電性弾性片を押圧して前記導電性弾性片と前記第２の導電性端子とを電気的に接続または電気的に非接続させるスイッチアセンブリと、
前記スイッチアセンブリを押すために前記上部筐体に摺動自在に装着され、前記スイッチアセンブリにより前記導電性弾性片を押圧させるキャップと、
を備え、
前記スイッチアセンブリは、回転可能なプッシュユニットを含み、前記プッシュユニットは、前記プッシュユニットの上部に取り付けられた交互に配置された複数のＯＮシンボルおよびＯＦＦシンボルを含み、
前記キャップは、その上部に装着された表示窓を含み、前記導電性弾性片が、第２の導電性端子に電気的に接続されると、前記表示窓と前記プッシュユニットのＯＮシンボルのうちの1つとが揃い、前記導電性弾性片が、第２の導電性端子から電気的に非接続にされると、前記表示窓と前記プッシュユニットのＯＦＦシンボルのうちの1つとが揃うことを特徴とする回転式プッシュスイッチ。
【請求項２】
請求項１に記載の回転式プッシュスイッチであって、
前記環状座部の内壁は、凹状に複数のガイド溝を形成されており、前記ガイド溝は、それぞれ、前記環状座部の軸方向に沿って延在し、前記環状座部は、複数の斜めスロットおよび複数の斜めブロックを含み、前記斜めスロットおよび前記斜めブロックは、前記環状座部の底部の開口の周囲に交互に形成され、同一方向に沿って傾斜しており、
前記スイッチアッセンブリは、インジケータ部とロッドとを備えた前記プッシュユニットと、前記環状座部の上部と前記インジケータ部分の底部との間に取り付けられた戻しスプリングと、前記環状座部の内部に移動自在に装着された駆動シリンダと、前記駆動シリンダの内側に取り付けられた回転シリンダと、前記駆動シリンダの上面の内壁と前記導電性弾性片との間に取り付けられたプッシュスプリングとを備え、
前記インジケータ部は、当該インジケータ部の上部に交互に配置された前記ＯＮシンボルと前記ＯＦＦシンボルとを含み、前記ロッドは、前記インジケータ部の底部から下方に延び、当該ロッドの外壁に形成された前記ロッドの軸方向に沿って延びる突出リブを備え、
前記駆動シリンダは、当該駆動シリンダの外壁に形成された複数の突出ブロックと、前記駆動シリンダの底部に形成された複数の鋭い歯部と、を備え、
前記回転シリンダは、当該回転シリンダの上部に形成されたキーホールを備え、
前記プッシュユニットの前記ロッドは、前記駆動シリンダと前記回転シリンダのキーホールとを貫通して取り付けられ、前記ロッドの前記突出リブは、前記キーホールに対応して係合し、
前記回転シリンダは、複数の斜め歯部と複数のブロックとをさらに有し、前記斜め歯部と前記ブロックとは、前記回転シリンダの底部の外壁の周囲に交互に連続して形成され、前記駆動シリンダの鋭い歯部によって押し込まれて回転するものであり、前記回転シリンダを回転させて前記ブロックを前記斜めブロックに接触させると、前記押しスプリングが前記導電性弾性片を押して前記第２の導電性端子に電気的に接続し、前記回転シリンダを回転させて前記ブロックを前記ガイド溝内にスライドさせると、前記導電性弾性片が前記第２の導電性端子から離間することを特徴とする回転式プッシュスイッチ。
【請求項３】
請求項１に記載の回転式プッシュスイッチであって、
前記上部筐体は、さらに、
前記環状座部に隣接して配置された表示灯用座部と、
前記表示灯用座部に取り付けられた発光ダイオード(ＬＥＤ)と、
前記底部筐体の内側に取り付けられ、前記第１の導電性端子と前記ＬＥＤの一端との間に電気的に接続された抵抗器と、
前記第２の導電性端子と前記ＬＥＤの他端との間に電気的に接続されたダイオードと、を含み、
前記キャップは、前記キャップの上部に形成された光透過性部分を含み、前記光透過性部分の位置は、前記ＬＥＤの位置に対応していることを特徴とする回転式プッシュスイッチ。
【請求項４】
請求項１に記載の回転式プッシュスイッチであって、
前記ＯＮシンボル及び前記ＯＦＦシンボルは扇形のセクタであり、前記ＯＮシンボルの色は前記ＯＦＦシンボルの色とは異なることを特徴とする回転式プッシュスイッチ。
【請求項５】
請求項４に記載の回転式プッシュスイッチであって、
２つの隣接する前記セクタの中心線間の角度が４５度である回転式プッシュスイッチ。
【請求項６】
請求項１に記載の回転式プッシュスイッチであって、
前記上部筐体は、２つのガイド支柱をさらに含み、前記２つのガイド支柱は、前記上部筐体の２つの対向する側面から上方に延在することによって形成され、
前記キャップは、当該キャップの対向する２つの側面に形成された２つの係合部分を含み、前記２つの係合部分は、前記上部筐体の前記２つのガイド支柱にそれぞれ係合することを特徴とする回転式プッシュスイッチ。
【請求項７】
請求項１に記載の回転式プッシュスイッチであって、
前記第３の導電性端子はＬ字状の導電片であり、前記第３の導電性端子の一方の端部は、前記底部筐体の内側に取り付けられ、前記第３の導電性端子の他方の端部は、前記底部筐体の背面側から外側に伸び、上方に折り曲げられていることを特徴とする回転式プッシュスイッチ。
【請求項８】
請求項７に記載の回転式プッシュスイッチであって、
前記キャップの前記表示窓は、透明ユニットであることを特徴とする回転式プッシュスイッチ。
【考案の詳細な説明】
【技術分野】
【０００１】
本考案は、スイッチに関し、特に、電力または信号の伝送を制御するための回転式プッシュスイッチに関する。
【背景技術】
【０００２】
プッシュスイッチは、様々な分野で広く使用されている。例えば、プッシュスイッチは、通常、電子製品、工具、車両、産業機器等に用いられ、電力や信号の伝送回路を制御することができる。プッシュスイッチは、プッシュスイッチのスイッチ部分を押すことにより、ＯＮ状態とＯＦＦ状態を交互に切り替えることができる。
【０００３】
しかし、プッシュスイッチの外観から、プッシュスイッチのＯＮ／ＯＦＦ状態を認識することは困難である。プッシュスイッチのスイッチ部分の高さは、プッシュスイッチが押されたか否かに応じて変わるものの、スイッチ部分の高さの変化は極めて少なく、ユーザがそれを見てプッシュスイッチのＯＮ／ＯＦＦ状態を認識することは難しい。このため、依然として、ユーザにとっては、実用上、非常に不便である。
【考案の概要】
【考案が解決しようとする課題】
【０００４】
そこで、本考案の目的は、ＯＮ／ＯＦＦ状態を容易に認識できる回転式プッシュスイッチを提供することにある。
【課題を解決するための手段】
【０００５】
本考案の回転式プッシュスイッチは、電源に接続された第１および第２の導電性端子と、導電性弾性片に接続された第３の導電性端子とを有する底部筐体を含む。導電性弾性片は、底部筐体内に取り付けられる。スイッチアセンブリは、底部筐体に取り付けられた上部筐体に搭載されている。スイッチアセンブリは、導電性弾性片と第２の導電性端子とを接続または切り離すように切り換えられる。またスイッチアセンブリにはキャップが取り付けられている。導電性弾性片が第２の導電性端子に接続されるか、または離間すると、それに対応して、キャップの表示窓にＯＮ／ＯＦＦを示すシンボルが見えるようになり、ユーザは、回転式プッシュスイッチのＯＮ／ＯＦＦ状態を認識することができる。
【０００６】
ユーザは、キャップを繰り返し押すことで、回転式プッシュスイッチをＯＮ状態またはＯＦＦ状態に交互に切り替えることができる。回転式プッシュスイッチのＯＮ／ＯＦＦ状態を切り替えると、スイッチアセンブリによってＯＮ／ＯＦＦシンボルが回転し、ＯＮ／ＯＦＦ状態に対応して、表示窓に合わせることができる。
【考案の効果】
【０００７】
本考案によれば、表示窓を通してＯＮ／ＯＦＦシンボルを見ることで、回転式プッシュスイッチのＯＮ／ＯＦＦ状態を一目で認識することができる。
【図面の簡単な説明】
【０００８】
【図１】本考案の回転式プッシュスイッチの正面図である。
【図２】本考案の回転式プッシュスイッチの分解図である。
【図３】本考案の回転式プッシュスイッチの背面図である。
【図４】本考案の回転式プッシュスイッチの上部筐体の断面図である。
【図５】本考案の回転式プッシュスイッチの上部筐体、駆動シリンダ、および回転シリンダの分解図である。
【図６Ａ】ＯＮ状態の回転式プッシュスイッチの断面図である。
【図６Ｂ】図６Ａの切断線Ａ−Ａの上方断面図である。
【図６Ｃ】回転式プッシュスイッチがＯＮ状態のときの駆動シリンダおよび回転シリンダの平面図である。
【図７Ａ】ＯＦＦ状態の回転式プッシュスイッチの断面図である。
【図７Ｂ】図７Ａの切断線Ｂ−Ｂの上方断面図である。
【図７Ｃ】回転式プッシュスイッチがＯＦＦ状態のときの駆動シリンダおよび回転シリンダの平面図である;
【図８】本考案の回転式プッシュスイッチの上面図である。
【図９】異なる導電性端子を有する回転式プッシュスイッチの概略図である。
【図１０】実際の用途において回転式プッシュスイッチを回路に接続した状態を示す概略図である。
【考案を実施するための形態】
【０００９】
図１および図２を参照して、本考案の回転式プッシュスイッチ1の実施形態を説明する。この回転式プッシュスイッチ1は、底部筐体10と、上部筐体20と、スイッチアセンブリ30と、導電性弾性片40と、キャップ50とを含む。
【００１０】
底部筐体10と上部筐体20とが係合することで、完全な筐体が形成される。底部筐体10は、第１の導電性端子11、第２の導電性端子12、及び第３の導電性端子13を含む。第１の導電性端子11の一端は、底部筐体10の内側に取り付けられており、第１の導電性端子11の他端は、底部筐体10の前側から外側に延びている。第２の導電性端子12の一端は、底部筐体10の内側に取り付けられており、第２の導電性端子12の他端は、底部筐体10の前側から外側に延びている。底部筐体10の内側にある第２の導電性端子12の端部は、下側接点121を形成している。図３を参照すると、第３の導電性端子13は、Ｌ字状の導電片である。第３の導電性端子13の一端は、底部筐体10の内側に取り付けられており、第３の導電性端子13の他端は、底部筐体10の裏側から外側に延びており、上方に折り曲げられている。底部筐体10の底部には貫通孔14が形成されており、これにより第１の導電性端子11は貫通孔14から露出している。第1の導電性端子11は、貫通孔14を介して負荷装置と電気的に接続することができる。
【００１１】
導電性弾性片40は、底部筐体10の内側に取り付けられている。導電性弾性片40の一端は、底部筐体10の内側に取り付けられ、第３の導電性端子13に電気的に接続し、導電性弾性片40の他端は、上側接点41を形成している。上側接点41は、第２の導電性端子12の下側接点121と弾性的に接触することができる。
【００１２】
上部筐体20は、底部筐体10の上部で底部筐体10と係合する。上部筐体20の対向する２つの側面から、それぞれ上方に延在する２つのガイド支柱21が形成されている。ガイド支柱21は、上部筐体20の対角線方向に対向する角部に取り付けることができる。また上部筐体20の上部から上方に延在する環状座部22が形成されている。環状座部22には、その底部を貫通する開口が形成されている。環状座部22の底部の開口を介して、環状座部22の内部空間は、底部筐体10と上部筐体20との係合によって形成される完全な筐体の内部空間と連通している。
【００１３】
図４及び図５に示すように、環状座部22の内壁には、凹状に複数のガイド溝221が形成されている。ガイド溝221は、それぞれ環状座部22の軸方向に沿って延在している。また環状座部22の底部の開口の周囲には、複数の斜めスロット222と複数の斜めブロック223とが、交互に形成されている。斜めスロット222及び斜めブロック223は、同じ方向に沿って傾斜している。一実施形態では、指示灯用座部24が上部筐体20の上部に形成され、指示灯用座部24は環状座部22に隣接して配置される。
【００１４】
スイッチアセンブリ30は、環状座部22に取り付けられており、導電性弾性片40をＯＮ位置またはＯＦＦ位置に押し込む。スイッチアセンブリ30は、プッシュユニット31と、戻しスプリング32と、駆動シリンダ33と、回転シリンダ34と、押しスプリング35とを含む。
【００１５】
プッシュユニット31は、インジケータ部とロッドとを備えている。インジケータ部は、複数のＯＮシンボル311及び複数のＯＦＦシンボル312を含む。プッシュユニット31のインジケータ部の上部には、回転式プッシュスイッチ１のＯＮ状態またはＯＦＦ状態を表示するためのＯＮシンボル311とＯＦＦシンボル312とが交互に配置されている。本実施形態では、インジケータ部は円形であり、４つのＯＮシンボル311及び４つのＯＦＦシンボル312を含んでいる。ＯＮシンボル311及びＯＦＦシンボル312は扇形に分けられた部分（セクタ）であり、ＯＮシンボル311の色はＯＦＦシンボル312の色とは異なる。隣接する２つのセクタの中心線間の角度は45度である。ロッドは、インジケータ部の底部から下方に延びる。ロッドの外壁には、ロッドの軸方向に沿って延在する突出リブ313が形成されている。
【００１６】
戻しスプリング32の底部は、環状座部22の上部に取り付けられている。戻しスプリング32の上部は、プッシュユニット31のインジケータ部を支持している。プッシュユニット31が押されたとき、プッシュユニット31には戻しスプリング32よって弾性力が与えられる。
【００１７】
駆動シリンダ33は、環状座部22の内側に移動可能に取り付けられている。駆動シリンダ33の外壁には複数の突起ブロック331が形成され、駆動シリンダ33の底部には複数の鋭い歯部332が形成されている。突起ブロック331の数は、環状座部22のガイド溝221の数と同数であり、各突起ブロック331は、それぞれ、ガイド溝221と係合し、これにより駆動シリンダ33は環状座部22内で上下のみに移動するように制限される。すなわち、駆動シリンダ33は、環状座部22に対して回転することができない。
【００１８】
回転シリンダ34は駆動シリンダ33の内部に取り付けられている。回転シリンダ34の上部にはキーホール341が形成されている。プッシュユニット31のロッドは、駆動シリンダ33及び回転シリンダ34のキーホール341を貫通して装着され、この際、突出リブ313はキー孔341に係合する。回転シリンダ34が回転すると、プッシュユニット31は回転シリンダ34と共に回転することができる。回転シリンダ34の底部の外壁の周りには、複数の斜め歯部342と複数のブロック343とが、交互に連続的に形成される。ブロック343は、それぞれ、回転シリンダ34の半径方向に沿って外側に延びている。斜め歯部342およびブロック343は、それぞれ、その上部に斜面が形成されている。
【００１９】
押しスプリング35は回転シリンダ34の内部に取り付けられている。押しスプリング35の一端は回転シリンダ34の上側の内壁に接触し、押しスプリング35の他端は導電性弾性片40に接触している。押しスプリング35が押されると、押しスプリング35が導電性弾性片40を押し、それにより導電性弾性片40の上側接点41を第２の導電性端子12の下側接点121に接触させる。押しバネ35が押されないときは、導電性弾性片40の上側接点41を第２の導電性端子12の下側接点121から離間させることができる。
【００２０】
キャップ50は、上部筐体20のガイド支柱21に摺動可能に取り付けられ、上部筐体20及びスイッチアセンブリ30を覆う。ユーザはキャップ50を押すことで回転式プッシュスイッチ1のＯＮ／ＯＦＦ状態を容易に切り替えることができる。キャップ50が押された後、プッシュユニット31は、戻しバネ32の弾性力によってキャップ50をキャップ50の元の位置に押し戻すことができる。本実施形態では、キャップ50の両側に２つの係合部51がそれぞれ形成されており、係合部51が上部筐体20のガイド支柱21にそれぞれ係合する構成としている。また、キャップ50の上部には、表示窓52が形成されている。表示窓52は、貫通孔であってもよいし、ガラスやアクリル等の透明なユニットで構成されていてもよい。表示窓52の位置は、ＯＮシンボル311またはＯＦＦシンボル312のいずれかを露出させるためのプッシュユニット31の位置に対応している。キャップ50の上部には、さらに、光透過性部分53が形成されており、光透過性部分53の位置が上部筐体20の表示灯座部24に対応している。
【００２１】
回転式プッシュスイッチ1は、表示灯アセンブリ60をさらに含む。表示灯アセンブリ60は、発光ダイオード(LED)61と、抵抗器62と、ダイオード63と、導電性バネ64とを含む。さらに図６Ａに示すように、LED 61は、上部筐体20の表示灯座部24に取り付けられている。LED 61の一方の導電性ピンは、抵抗器62に電気的に接続され、さらに、抵抗器62を介して第1の導電性端子11に接続されている。抵抗器62は、底部筐体10の内側に取り付けられている。LED 61のもう一方の導電性ピンは、ダイオード63の一方の端部に電気的に接続され、ダイオード63の他方の端部は、導電性バネ64を介して第２の導電性端子12に電気的に接続されている。LED 61は、第1の導電性端子11と第2導電端末12との間に電気的に接続されているため、第１の導電性端子11と第２の導電性端子12が電源に電気的に接続されると、回転式プッシュスイッチ1のＯＮ／ＯＦＦ状態に関わりなく光を発することができる。
【００２２】
図６Ａ乃至図６Ｃを参照すると、回転式プッシュスイッチ1がＯＮ状態にあるとき、回転シリンダ34の底部に取り付けられたブロック343は、環状座部22の斜めブロック223に接触して、回転シリンダ34の内側の押しスプリング35を押圧する。押しスプリング35が押されると、押しスプリング35が導電性弾性片40をさらに押してＯＮ位置にし、導電性弾性片40の上側接点41を下側接点121に接触させる。
【００２３】
回転式プッシュスイッチ1が、図６Ａに示すようにＯＮ状態の時、ユーザはキャップ50を押すことで、回転式プッシュスイッチ1を図７Ａ〜図７Ｃに示すＯＦＦ状態に切換えることができる。まず、キャップ50が押されると、キャップ50によってプッシュユニット31を下方に押すことができ、プッシュユニット31がさらに駆動シリンダ33および回転シリンダ34を押すことができる。このとき、回転シリンダ34の底部に取り付けられたブロック343が押されて環状座部22の斜めブロック223から外れると同時に、駆動シリンダ33の底部に取り付けられた鋭い歯部332が回転シリンダ34の斜め歯部342を押す。斜め歯部342は斜面を有するので、斜め歯部342が押されると、回転シリンダ34が回転する。図７Ｃに示すように、回転シリンダ34のブロック343が回転してガイド溝221の位置に合ったとき、回転シリンダ34のブロック343は駆動シリンダ33の突起ブロック331とほぼ位置合わせされた状態となり、駆動シリンダ33の突起ブロック331と共にガイド溝221内へと摺動する。ここで、回転シリンダ34は押しスプリング35により押し上げられて上昇し、押しスプリング35は押された状態から元の状態に戻る。導電性弾性片40は押スプリング35によって押されなくなるので、上側接点41は下側接点121から離間し、導電性弾性片40はＯＦＦ位置になる。即ち、回転式プッシュスイッチ1はＯＦＦ状態となる。
【００２４】
ユーザが再びキャップ50を押すと、図６Ａ〜図６Ｃに示すように、回転式プッシュスイッチ1はＯＦＦ状態からＯＮ状態に切り替わる。まず、キャップ50が押されると、駆動シリンダ33が下方に押されて回転シリンダ34の斜め歯部342を押し、回転シリンダ34を回転させる。図６Ｃに示すように、回転シリンダ34のブロック343が斜めスロット222に沿って回転して斜めブロック223に当接すると、回転シリンダ34のブロック343と駆動シリンダ33の突起ブロック331とは実質的に互い違いになる。回転シリンダ34の内側の押しスプリング35は、導電性弾性片40を押圧して、導電性弾性片40の上側接点41を下側接点121に接触させる。
【００２５】
図８を参照すると、キャップ50が押されて回転シリンダ34が回転駆動する毎に、回転シリンダ34はプッシュユニット31を共に回転するように駆動し、これにより、ＯＮシンボル311とＯＦＦシンボル312とを表示窓52に対応する位置まで順次回転させる。回転式プッシュスイッチ1がＯＮ状態のときは、プッシュユニット31のＯＮシンボル311が表示窓52に位置付けられ、回転式プッシュスイッチ1がＯＦＦ状態のときは、プッシュユニット31のＯＦＦシンボル312が表示窓52に位置付けられる。したがって、ユーザは、表示窓52を介して回転式プッシュスイッチ1のＯＮ／ＯＦＦ状態を簡便に認識することができる。
【００２６】
図９を参照すると、第１の導電性端子11、第２の導電性端子12、及び第３の導電性端子13の構造は、必要に応じて変更することができる。例えば、図９に示すような実施形態では、第１の導電性端子11及び第２の導電性端子12は、それぞれ、クランプ部を備えている。第１の導電性端子11及び第２の導電性端子12のクランプ部は、電源の電力接点をクランプして、電源に電気的に接続させることができる。
【００２７】
回転式プッシュスイッチ1を実際の回路に適用した接続例の概略図を図１０に示す。第１の導電性端子11と第２の導電性端子12とは、それぞれ、電源Sの２つの端子に電気的に接続されており、負荷装置Lの一方の端子は、底部筐体10の貫通孔14を介して第１の導電性端子11に電気的に接続されており、負荷装置Lの他方の端子は、第３の導電性端子13に電気的に接続されている。スイッチアセンブリ30は、第３の導電性端子13と第２の導電性端子12との電気的な接続及び非接続を制御できるので、回転式プッシュスイッチ1がＯＮ状態にあるときには、負荷装置Lは、回転式プッシュスイッチ1を介して電源Sに電気的に接続され、受電することができる。
【００２８】
以上説明したように、ユーザは、キャップ50を押すことで回転式プッシュスイッチ1のＯＮ／ＯＦＦ状態を切り替えることができる。また、ユーザは、キャップ50の表示窓52におけるＯＮ／ＯＦＦシンボル311、312によって、回転押スイッチ1のＯＮ／ＯＦＦ状態を簡便に認識することができる。
【符号の説明】
【００２９】
１：回転式プッシュスイッチ、１０：底部筐体、１１：第１の導電性端子、１２：第２の導電性端子、１３：第３の導電性端子、２０：上部筐体、２１：ガイド支柱、３０：スイッチアッセンブリ、３１：プッシュユニット、４０：導電性弾性片、５０：キャップ、５２：表示窓
【図１】
0003229020.tif 000003
【図２】
0003229020.tif 000004
【図３】
0003229020.tif 000005
【図４】
0003229020.tif 000006
【図５】
0003229020.tif 000007
【図６Ａ】
0003229020.tif 000008
【図６Ｂ】
0003229020.tif 000009
【図６Ｃ】
0003229020.tif 000010
【図７Ａ】
0003229020.tif 000011
【図７Ｂ】
0003229020.tif 000012
【図７Ｃ】
0003229020.tif 000013
【図８】
0003229020.tif 000014
【図９】
0003229020.tif 000015
【図１０】
0003229020.tif 000016